(57)【要約】      （修正有）【課題】容器を一部開口させた状態で、蓋体を保持できるとともに、剥がした蓋体を閉じた状態で保持できる即席食品用容器の蓋の提供をする。【解決手段】上縁に外側に突出したフランジ部１１を有する容器の前記フランジ部に、摘み片を有する蓋体１４を接着し、前記容器の開口部を密封する構造の即席食品用容器において、前記蓋体の外面に、蓋体の輪郭とほぼ同じ形状の輪郭を有するリング状の粘着部１５を形成したことを特徴とする即席食品用容器の蓋。【選択図】図４
0003142176.tif 000002
【実用新案登録請求の範囲】
【請求項１】
上縁に外側に突出したフランジ部を有する容器の前記フランジ部に、摘み片を有する蓋体を接着し、前記容器の開口部を密封する構造の即席食品用容器において、
前記蓋体の外面に、蓋体の輪郭とほぼ同じ形状の輪郭を有するリング状の粘着部を形成したことを特徴とする即席食品用容器の蓋。
【請求項２】
リング状の粘着部が、その表面に剥離紙を貼付されていることを特徴とする請求項1に記載の即席食品用容器の蓋。
【考案の詳細な説明】
【技術分野】
【０００１】
この考案は、お湯を注ぎ入れることによりラ−メンやウドン等の即席食品を素早く調理できるように構成された即席食品用容器の蓋に係るもので、詳しくは蓋の構造に関するものである。
【背景技術】
【０００２】
従来のラ−メンやウドン等の即席食品の調理に用いられる即席食品用容器には、特開２００４−３５０５０号公報（特許文献１参照）に示すように、図１および図２と同様に、上縁に外側に突出したフランジ部１１を設けた容器１２の該フランジ部１１に、摘み片１４を有する蓋体Ａを接着し、容器１２の開口部１３を密封する構造であり、調理するときには、蓋体Ａの摘み片１４を摘んで、蓋体Ａを剥がし、容器１２を１／３乃至１／２程度開口し、この開口部１３からお湯を注ぎ入れたのち、蓋体Ａを所定時間だけ閉じるというやり方で調理していた。
【０００３】
そのため、次のような問題があった。
1）ラ−メンやウドン等の即席食品の調理に際してお湯を注ぎ入れるときは、蓋体Ａが閉じないように、指先等で保持していなけらばならないので、不便であるとともに、指先で蓋体Ａを保持している場合には、お湯が指先にかかるおそれがあり、非常に危険である。
２）お湯を注ぎ入れたのち、蓋体Ａを閉じるときには、蓋体Ａの上に、お皿等の重しを載せるか、または蓋体Ａの摘み片１４を粘着テ−プ等を用意して容器１２の側壁面に固定する等の措置を講じなければならないので、不便である。
【特許文献１】特開２００４−３５０５０号公報
【考案の開示】
【考案が解決しようとする課題】
【０００４】
この考案は、従来の技術で記述した問題を解消するためになされたもので、容器を一部開口させた状態で、蓋体を保持できるとともに、剥がした蓋体を閉じた状態で保持できる即席食品用容器の蓋の提供を目的とするものである。
【課題を解決するための手段】
【０００５】
この考案の即席食品用容器の蓋は、上縁に外側に突出したフランジ部を有する容器の前記フランジ部に、摘み片を有する蓋体を接着し、前記容器の開口部を密封する構造の即席食品用容器において、
前記蓋体の外面に、蓋体の輪郭とほぼ同じ形状の輪郭を有するリング状の粘着部を形成するとともに、その表面に剥離紙を貼付したしたことを特徴とするものである。
【０００６】
この考案の即席食品用容器の蓋は、前記リング状の粘着部が、その表面に剥離紙を貼付されていることをも特徴とするものである。
【考案の効果】
【０００７】
この考案は上述のように構成されているので、次のような効果を呈する。
１）お湯を注ぎ入れるときは、蓋体Ａを剥がしておくことができるので、取り扱いが簡便であるとともに、従来のように指先にお湯をかける等の不具合を防止できる。
２）お湯を注ぎ入れたのち、蓋体Ａを裏返して購入時と同様の閉じた状態で保持できるので、取り扱いが簡便であり、従来のように、蓋体Ａの上にのせる重し等を調達する必要がない。
３）構造が簡単であるので、安価に量産ができる。
【考案を実施するための最良の形態】
【０００８】
この考案の即席食品用容器の蓋に係る実施の形態を、図面を参照しながら説明する。
図１はこの考案の即席食品用容器の蓋の１実施例を示す斜視図、図２は容器から蓋体を剥がす状態を示す斜視図、図３は蓋体を剥がし終わった状態の斜視図、図４は蓋体の粘着層から剥離紙を剥がしている状態を示す斜視図、図５は剥離紙を剥がし終わって反転させる場合の斜視図、図６は反転させた後に容器に取り付けようとしている状態の斜視図、図７は再度蓋体を容器に貼り付けた状態を示す斜視図である。
【０００９】
図１および図２の実施例に示すように、この考案の即席食品用容器の蓋においては、上縁に外側に突出したフランジ部１１を有する容器１２のフランジ部１１に、摘み片１４を有する蓋体Ａを接着し、容器１２の開口部１３を密封する構造の即席食品用容器において、前記蓋体Ａの外面に、蓋体Ａの輪郭とほぼ同じ形状の輪郭を有するリング状の粘着部１５を形成するとともに、その表面に剥離紙１６を貼付している。
【００１０】
なお、リング状の粘着部１５の寸法及び形状は、例えば、容器１２や蓋体Ａが円形状の場合では同様に円形状に、四角い形状であれば同様に四角い形状になり、かつ容器１２のフランジ部１１に合わせた寸法に形成されている。
その幅も、容器１２のフランジ部１１の幅に応じて確実に貼付できる幅とすることが望ましい。
【００１１】
リング状の粘着部１５の素材として、感熱性の粘着剤を使用した場合には、ラ−メンやウドン等の即席食品の調理に際して使用するお湯を粘着部１５に注ぎかけることにより感熱性の粘着剤を活性化させ、簡易迅速に容器１２のフランジ部１１に貼付することができる。したがってその場合には剥離紙１６を省略することができる。
【００１２】
この考案の即席食品用容器の蓋の使用に際しては、図２に示すように、蓋体Ａの摘み片１４を指先で摘んで、蓋体Ａをフランジ部１１から引き剥がしていき、図３のように完全に容器１２と蓋体Ａとを分離する。
これで蓋体Ａは開いた状態で保持されるため、蓋体Ａを指先で掴んでおく必要はなくなるので、従来のように指先にお湯をかける心配は全くなく、安全に、容器１２の開口部１３からお湯を注ぎ入れることができる。
【００１３】
容器１２へのお湯の注入が終わると、図４に示すように、蓋体Ａのリング状の粘着部１５上から剥離紙１６を引き剥がし、図５に示すように蓋体Ａを反転して、図６のようにリング状の粘着部１５をフランジ部１１に重ね合わせるようにした上、図７に示すように蓋体Ａをフランジ部１１に貼付する。これで蓋体Ａは閉じた状態で保持され、所定時間経過の後、蓋体Ａをフランジ部１１から剥がして蓋体Ａを容器１２から除去し、調理されたラ−メン等の内容物を食する。
したがって、従来のように、蓋体Ａの上にのせる重し等を調達する必要はなくなる。
【産業上の利用可能性】
【００１４】
この考案の即席食品用容器の蓋は上述のように構成されているので、ラ−メンやウドン等の即席食品の蓋としてのみならず、その他の蓋体の必要な容器にも適用できることはいうまでもない。
【図面の簡単な説明】
【００１５】
【図１】この考案の即席食品用容器の蓋の１実施例を示す斜視図である。
【図２】容器から蓋体を剥がす状態を示す斜視図である。
【図３】蓋体を剥がし終わった状態の斜視図である。
【図４】蓋体の粘着層から剥離紙を剥がしている状態を示す斜視図である。
【図５】剥離紙を剥がし終わって反転させる場合の斜視図である。
【図６】反転させた後に容器に取り付けようとしている状態の斜視図である。
【図７】再度蓋体を容器に貼り付けた状態を示す斜視図
【符号の説明】
【００１６】
１１  フランジ部
１２  容器
１３  開口部
１４  摘み片
１５  リング状の粘着部
１６  剥離紙
Ａ  蓋体
【図１】
0003142176.tif 000003
【図２】
0003142176.tif 000004
【図３】
0003142176.tif 000005
【図４】
0003142176.tif 000006
【図５】
0003142176.tif 000007
【図６】
0003142176.tif 000008
【図７】
0003142176.tif 000009
【手続補正書】
【提出日】平成20年4月4日(2008.4.4)
【手続補正１】
【補正対象書類名】明細書
【補正対象項目名】０００５
【補正方法】変更
【補正の内容】
【０００５】
この考案の即席食品用容器の蓋は、上縁に外側に突出したフランジ部を有する容器の前記フランジ部に、摘み片を有する蓋体を接着し、前記容器の開口部を密封する構造の即席食品用容器において、
前記蓋体の外面に、蓋体の輪郭とほぼ同じ形状の輪郭を有するリング状の粘着部を形成するとともに、その表面に剥離紙を貼付したことを特徴とするものである。
【手続補正書】
【提出日】平成20年4月4日(2008.4.4)
【手続補正１】
【補正対象書類名】明細書
【補正対象項目名】０００３
【補正方法】変更
【補正の内容】
【０００３】
そのため、次のような問題があった。
1）ラ−メンやウドン等の即席食品の調理に際してお湯を注ぎ入れるときは、蓋体Ａが閉じないように、指先等で保持していなければならないので、不便であるとともに、指先で蓋体Ａを保持している場合には、お湯が指先にかかるおそれがあり、非常に危険である。
２）お湯を注ぎ入れたのち、蓋体Ａを閉じるときには、蓋体Ａの上に、お皿等の重しを載せるか、または蓋体Ａの摘み片１４を粘着テ−プ等を用意して容器１２の側壁面に固定する等の措置を講じなければならないので、不便である。